(57)【要約】【課題】本発明は保存に便利な手持ち扇風機を開示した。【解決手段】本体を含み、前記本体の頂部端面には左右に対称的な二組の頂部溝が設置され、前記頂部溝の中には止め板機構が設置され、前記本体の中には昇降機構が設置され、前記昇降機構によって前記止め板機構を開けて扇風機を上昇させ、前記本体の左右両側端面にはいずれも握り機構が設置され、前記握り機構が前記止め板機構に動力を提供し、前記本体の中には首振り機構が設置され、前記首振り機構が前記扇風機を左右に振ることができる。【選択図】図１
2020180611.tif 000002
【特許請求の範囲】
【請求項１】
本体を含み、前記本体の頂部端面には左右に対称的な二組の頂部溝が設置され、前記頂部溝の中には止め板機構が設置され、左右対称の前記頂部溝の間には二組の伝動チャンバが対称的に設置され、前記伝動ヤンバの底部には昇降チャンバが設置され、前記昇降チャンバの中には昇降機構が設置され、前記昇降機構によって前記止め板機構を開けて扇風機を上昇させ、前記本体の左右両側端面にはいずれもスライド溝が設置され、前記スライド溝が左右に対称のように設置され、前記スライド溝の中にはいずれも握り機構が設置され、前記握り機構が前記止め板機構に動力を提供し、前記スライド溝の間には中部溝が設置され、前記中部溝の中には首振り機構が設置され、前記首振り機構が前記扇風機を左右に振ることができ、前記中部溝の底壁には動力チャンバが設置され、前記動力チャンバの中には動力機構が設置され、前記動力機構は前記首振り機構と前記扇風機との回転に動力を提供し、前記本体の底部端面の中には蓄電池が固定的に嵌められ、前記本体が台座に保存されていることを特徴とする保存に便利な手持ち扇風機。
【請求項２】
前記止め板機構と前記昇降機構とは前記頂部溝の中に回転できるように設置された伝動歯車を含み、前記伝動歯車が左右に対称のように設置され、右側の前記伝動歯車を例として詳しく説明すれば、前記伝動チャンバと前記頂部溝との間には横軸が回転できるように設置され、前記横軸の右側端には前記伝動歯車と噛み合った傘歯車Ａが固定的に設置され、前記横軸の左側端には傘歯車Ｂが固定的に設置され、前記頂部溝の前後端壁の間には半円歯車が回転できるように設置され、前記半円歯車と前記伝動歯車とが噛み合っており、前記半円歯車の頂部端面には円弧状止め板が固定的に設置され、左右に対称的な前記円弧状止め板は閉じて前記扇風機を埃から守ることができ、前記昇降チャンバの中には上下に伸びている螺旋軸が回転できるように設置され、前記螺旋軸が左右に対称的に設置され、右側の前記螺旋軸を例として詳しく説明すれば、前記螺旋軸の頂端には傘歯車Ｃが固定的に設置され、前記傘歯車Ｃが前記傘歯車Ｂと噛み合って設置され、前記螺旋軸の外壁にはネジ山ブロックがネジ山により装着され、前記昇降チャンバの中には昇降ブロックがスライドできるように設置され、前記昇降ブロックが前記昇降チャンバを貫通しており、前記昇降ブロックの外壁には固定ブロックが固定的に設置されており、前記固定ブロックが左右に対称のように設置され、前記固定ブロックと前記ネジ山ブロックとの間が連結棒によってヒンジで連結され、
螺旋軸が回転して傘歯車Ｃを回転連動させて横軸を回転させ、更に傘歯車Ｄに円弧状止め板を連動させて開き、螺旋軸が回転してネジ山ブロックを上昇させ、更に固定ブロックに昇降ブロックを上昇連動させることを特徴とする請求項１に記載の保存に便利な手持ち扇風機。
【請求項３】
前記首振り機構と前記動力機構とは前記昇降ブロックの中に回転できるように設置された滑り軸受を含み、前記滑り軸受の中には扇風機チャンバが設置され、前記扇風機チャンバの中には傘歯車Ｄが回転できるように設置され、前記傘歯車Ｄと前記扇風機とが伝動できるように連結され、前記扇風機チャンバの底壁の中には下に伸びているスプラインスリーブが回転できるように設置され、前記スプラインスリーブの頂端には傘歯車Ｅが固定的に設置され、前記傘歯車Ｅと前記傘歯車Ｄとが噛み合って設置され、前記スプラインスリーブの底端には前記中部溝の中に位置しているフェースギヤが固定的に設置され、前記中部溝の左右両側にはいずれもベルトチャンバが設置され、前記ベルトチャンバが左右に対称のように設置され、右側の前記ベルトチャンバと前記中部溝との間には従動軸が回転できるように設置され、前記従動軸の左側末端には扇形歯車が固定的に設置され、左右に対称的な前記扇形歯車はそれぞれ前記フェースギヤと間欠的に噛み合って前記フェースギヤに正反方向への回転を繰り返させることができ、前記従動軸のもう一端には従動プーリが固定的に設置され、前記動力チャンバの底壁の中にはモータが固定的に嵌められ、前記モータの頂端にはスプライン軸が伝動できるように連結され、前記スプライン軸と前記スプラインスリーブとがスプラインによって連結され、前記スプライン軸の外周には動力歯車が固定的に設置され、前記動力チャンバの左右両側端壁にはいずれも動力軸が回転できるように設置され、前記動力軸が左右に対称のように設置され、前記動力軸の左側末端には従動歯車が固定的に設置され、前記従動歯車と前記動力歯車とが噛み合って設置され、前記動力軸の外周には動力プーリが固定的に設置され、前記動力プーリと前記従動プーリとの間がベルトによって伝動できるように連結され、
フェースギヤが扇形歯車と噛み合い、モータを始動して動力歯車に動力軸を回転連動させ、更に動力プーリに従動プーリを回転連動させ、これにより扇形歯車にフェースギヤを連動させて回転を繰り返すことを特徴とする請求項１に記載の保存に便利な手持ち扇風機。
【請求項４】
前記握り機構は前記スライド溝の中にスライドできるように装着されたスライドブロックを含み、前記スライドブロックが左右に対称のように設置され、右側の前記スライドブロックを例として詳しく説明すれば、前記スライドブロックの右端には前記スライドブロックを便利に押せる凸ブロックが固定的に設置され、前記スライドブロックの左側端面と前記スライド溝の左側端面との間には撥条が弾性的に連結され、前記昇降チャンバの底部には左右に対称的なラックチャンバが設置され、右側の前記ラックチャンバを例として詳しく説明すれば、前記ラックチャンバの中には回転輪が回転できるように設置され、前記螺旋軸の底端には前記回転輪と噛み合った傘歯車Ｆが固定的に設置され、前記ラックチャンバの底壁の中にはラックがスライドできるように設置され、前記ラックの右端と前記スライドブロックの左端とが固定的に連結され、前記ラックと前記回転輪とが噛み合って設置され、
凸ブロックを握って押し、ラックに回転輪を回転連動させ、更に螺旋軸を回転させることを特徴とする請求項１に記載の保存に便利な手持ち扇風機。
【発明の詳細な説明】
【技術分野】
【０００１】
本発明は扇風機技術分野に関し、具体的には保存に便利な手持ち扇風機である。
【背景技術】
【０００２】
ひどく熱い夏の日に、出かけるには半端ない勇気が必要であるといっても過言ではなく、そのため、手持ち扇風機はすでに外出の必要品とされており、伝統的な手持ち扇風機は機能が単一で、送風しかできなく、しかも送風可能な範囲が小さく、そのため、手持ちや保存に便利な扇風機を設計する必要がある。
【先行技術文献】
【特許文献】
【０００３】
【特許文献１】中国特許出願公開第103850952号明細書
【発明の概要】
【発明が解決しようとする課題】
【０００４】
本発明の目的は保存に便利な手持ち扇風機を提供し、それは上記の現在の技術中の問題を解決できる。
【課題を解決するための手段】
【０００５】
本発明の保存に便利な手持ち扇風機は、本体を含み、前記本体の頂部端面には左右に対称的な二組の頂部溝が設置され、前記頂部溝の中には止め板機構が設置され、左右対称の前記頂部溝の間には二組の伝動チャンバが対称的に設置され、前記伝動ヤンバの底部には昇降チャンバが設置され、前記昇降チャンバの中には昇降機構が設置され、前記昇降機構によって前記止め板機構を開けて扇風機を上昇させ、前記本体の左右両側端面にはいずれもスライド溝が設置され、前記スライド溝が左右に対称のように設置され、前記スライド溝の中にはいずれも握り機構が設置され、前記握り機構が前記止め板機構に動力を提供し、前記スライド溝の間には中部溝が設置され、前記中部溝の中には首振り機構が設置され、前記首振り機構が前記扇風機を左右に振ることができ、前記中部溝の底壁には動力チャンバが設置され、前記動力チャンバの中には動力機構が設置され、前記動力機構は前記首振り機構と前記扇風機との回転に動力を提供し、前記本体の底部端面の中には蓄電池が固定的に嵌められ、前記本体が台座に保存されている。
【０００６】
さらなる技術プランとして、前記止め板機構と前記昇降機構とは前記頂部溝の中に回転できるように設置された伝動歯車を含み、前記伝動歯車が左右に対称のように設置され、右側の前記伝動歯車を例として詳しく説明すれば、前記伝動チャンバと前記頂部溝との間には横軸が回転できるように設置され、前記横軸の右側端には前記伝動歯車と噛み合った傘歯車Ａが固定的に設置され、前記横軸の左側端には傘歯車Ｂが固定的に設置され、前記頂部溝の前後端壁の間には半円歯車が回転できるように設置され、前記半円歯車と前記伝動歯車とが噛み合っており、前記半円歯車の頂部端面には円弧状止め板が固定的に設置され、左右に対称的な前記円弧状止め板は閉じて前記扇風機を埃から守ることができ、前記昇降チャンバの中には上下に伸びている螺旋軸が回転できるように設置され、前記螺旋軸が左右に対称的に設置され、右側の前記螺旋軸を例として詳しく説明すれば、前記螺旋軸の頂端には傘歯車Ｃが固定的に設置され、前記傘歯車Ｃが前記傘歯車Ｂと噛み合って設置され、前記螺旋軸の外壁にはネジ山ブロックがネジ山により装着され、前記昇降チャンバの中には昇降ブロックがスライドできるように設置され、前記昇降ブロックが前記昇降チャンバを貫通しており、前記昇降ブロックの外壁には固定ブロックが固定的に設置されており、前記固定ブロックが左右に対称のように設置され、前記固定ブロックと前記ネジ山ブロックとの間が連結棒によってヒンジで連結され、
螺旋軸が回転して傘歯車Ｃを回転連動させて横軸を回転させ、更に傘歯車Ｄに円弧状止め板を連動させて開き、螺旋軸が回転してネジ山ブロックを上昇させ、更に固定ブロックに昇降ブロックを上昇連動させる。
【０００７】
さらなる技術プランとして、前記首振り機構と前記動力機構とは前記昇降ブロックの中に回転できるように設置された滑り軸受を含み、前記滑り軸受の中には扇風機チャンバが設置され、前記扇風機チャンバの中には傘歯車Ｄが回転できるように設置され、前記傘歯車Ｄと前記扇風機とが伝動できるように連結され、前記扇風機チャンバの底壁の中には下に伸びているスプラインスリーブが回転できるように設置され、前記スプラインスリーブの頂端には傘歯車Ｅが固定的に設置され、前記傘歯車Ｅと前記傘歯車Ｄとが噛み合って設置され、前記スプラインスリーブの底端には前記中部溝の中に位置しているフェースギヤが固定的に設置され、前記中部溝の左右両側にはいずれもベルトチャンバが設置され、前記ベルトチャンバが左右に対称のように設置され、右側の前記ベルトチャンバと前記中部溝との間には従動軸が回転できるように設置され、前記従動軸の左側末端には扇形歯車が固定的に設置され、左右に対称的な前記扇形歯車はそれぞれ前記フェースギヤと間欠的に噛み合って前記フェースギヤに正反方向への回転を繰り返させることができ、前記従動軸のもう一端には従動プーリが固定的に設置され、前記動力チャンバの底壁の中にはモータが固定的に嵌められ、前記モータの頂端にはスプライン軸が伝動できるように連結され、前記スプライン軸と前記スプラインスリーブとがスプラインによって連結され、前記スプライン軸の外周には動力歯車が固定的に設置され、前記動力チャンバの左右両側端壁にはいずれも動力軸が回転できるように設置され、前記動力軸が左右に対称のように設置され、前記動力軸の左側末端には従動歯車が固定的に設置され、前記従動歯車と前記動力歯車とが噛み合って設置され、前記動力軸の外周には動力プーリが固定的に設置され、前記動力プーリと前記従動プーリとの間がベルトによって伝動できるように連結され、
フェースギヤが扇形歯車と噛み合い、モータを始動して動力歯車に動力軸を回転連動させ、更に動力プーリに従動プーリを回転連動させ、これにより扇形歯車にフェースギヤを連動させて回転を繰り返す。
【０００８】
さらなる技術プランとして、前記握り機構は前記スライド溝の中にスライドできるように装着されたスライドブロックを含み、前記スライドブロックが左右に対称のように設置され、右側の前記スライドブロックを例として詳しく説明すれば、前記スライドブロックの右端には前記スライドブロックを便利に押せる凸ブロックが固定的に設置され、前記スライドブロックの左側端面と前記スライド溝の左側端面との間には撥条が弾性的に連結され、前記昇降チャンバの底部には左右に対称的なラックチャンバが設置され、右側の前記ラックチャンバを例として詳しく説明すれば、前記ラックチャンバの中には回転輪が回転できるように設置され、前記螺旋軸の底端には前記回転輪と噛み合った傘歯車Ｆが固定的に設置され、前記ラックチャンバの底壁の中にはラックがスライドできるように設置され、前記ラックの右端と前記スライドブロックの左端とが固定的に連結され、前記ラックと前記回転輪とが噛み合って設置され、
凸ブロックを握って押し、ラックに回転輪を回転連動させ、更に螺旋軸を回転させる。
【０００９】
使用する時、本体を手で持ち、凸ブロックを握って押し、ラックに回転輪を回転連動させ、更に螺旋軸を回転させてネジ山ブロックを上に移動させて昇降ブロックを上に移動連動させ、フェースギヤを扇形歯車とかみ合わせ、同時に螺旋軸が傘歯車Ｃを回転連動させ、更に傘歯車Ｂを回転連動させて横軸を回転させ、横軸が伝動歯車を回転連動させ、半円歯車を回転させて更に円弧状止め板を開き、この時、モータを始動し、スプライン軸を回転させて更に動力歯車を回転させ、動力歯車が従動歯車を回転連動させて動力軸を回転させ、更に動力プーリに従動プーリを回転連動させ、更に従動軸に扇形歯車を回転連動させ、扇形歯車がフェースギヤを連動させて正反方向に間欠的に回転させ、同時にスプライン軸がスプラインスリーブを回転連動させ、更に傘歯車Ｅに傘歯車Ｄを回転連動させ、扇風機に送風させる。
【発明の効果】
【００１０】
本発明の有益効果は：本発明は構造が簡単で、操作が便利で、円弧状止め板の開閉及び昇降ブロックの昇降によって扇風機を保護し、扇風機の保存を実現し、しかもフェースギヤと扇形歯車との噛み合いによって扇風機の左右揺動を実現して送風範囲を広げる。
【図面の簡単な説明】
【００１１】
【図１】図１は本発明の保存に便利な手持ち扇風機の内部全体構成略図
【図２】図２は図１のＡの局部拡大略図
【図３】図３は本発明の扇風機の後側略図
【発明を実施するための形態】
【００１２】
以下に図１〜３を交えて本発明について詳しく説明し、便利に叙述するため、後文に出る方位を下記の通りに規定する：後文に出る上下左右前後方向は図１本体の投影関係の上下左右前後方向と一致する。
【００１３】
図１〜３を参照し、本発明の実施例における保存に便利な手持ち扇風機は：本体１０を含み、前記本体１０の頂部端面には左右に対称的な二組の頂部溝２６が設置され、前記頂部溝２６の中には止め板機構７２が設置され、左右対称の前記頂部溝２６の間には二組の伝動チャンバ３４が対称的に設置され、前記伝動ヤンバ３４の底部には昇降チャンバ４６が設置され、前記昇降チャンバ４６の中には昇降機構７３が設置され、前記昇降機構７３によって前記止め板機構７２を開けて扇風機５７を上昇させ、前記本体１０の左右両側端面にはいずれもスライド溝２１が設置され、前記スライド溝２１が左右に対称のように設置され、前記スライド溝２１の中にはいずれも握り機構７４が設置され、前記握り機構７４が前記止め板機構７２に動力を提供し、前記スライド溝２１の間には中部溝６０が設置され、前記中部溝６０の中には首振り機構７０が設置され、前記首振り機構７０が前記扇風機５７を左右に振ることができ、前記中部溝６０の底壁には動力チャンバ１６が設置され、前記動力チャンバ１６の中には動力機構７１が設置され、前記動力機構７１は前記首振り機構７０と前記扇風機５７との回転に動力を提供し、前記本体１０の底部端面の中には蓄電池１２が固定的に嵌められ、前記本体１０が台座１１に保存されている。
【００１４】
前記止め板機構７２と前記昇降機構７３とは前記頂部溝２６の中に回転できるように設置された伝動歯車２７を含み、前記伝動歯車２７が左右に対称のように設置され、右側の前記伝動歯車２７を例として詳しく説明すれば、前記伝動チャンバ３４と前記頂部溝２６との間には横軸３１が回転できるように設置され、前記横軸３１の右側端には前記伝動歯車２７と噛み合った傘歯車Ａ３０が固定的に設置され、前記横軸３１の左側端には傘歯車Ｂ３２が固定的に設置され、前記頂部溝２６の前後端壁の間には半円歯車２８が回転できるように設置され、前記半円歯車２８と前記伝動歯車２７とが噛み合っており、前記半円歯車２８の頂部端面には円弧状止め板２９が固定的に設置され、左右に対称的な前記円弧状止め板２９は閉じて前記扇風機５７を埃から守ることができ、前記昇降チャンバ４６の中には上下に伸びている螺旋軸４５が回転できるように設置され、前記螺旋軸４５が左右に対称的に設置され、右側の前記螺旋軸４５を例として詳しく説明すれば、前記螺旋軸４５の頂端には傘歯車Ｃ３３が固定的に設置され、前記傘歯車Ｃ３３が前記傘歯車Ｂ３２と噛み合って設置され、前記螺旋軸４５の外壁にはネジ山ブロック４４がネジ山により装着され、前記昇降チャンバ４６の中には昇降ブロック４１がスライドできるように設置され、前記昇降ブロック４１が前記昇降チャンバ４６を貫通しており、前記昇降ブロック４１の外壁には固定ブロック４２が固定的に設置されており、前記固定ブロック４２が左右に対称のように設置され、前記固定ブロック４２と前記ネジ山ブロック４４との間が連結棒４３によってヒンジで連結され、
螺旋軸４５が回転して傘歯車Ｃ３３を回転連動させて横軸３１を回転させ、更に傘歯車Ｄ３７に円弧状止め板２９を連動させて開き、螺旋軸４５が回転してネジ山ブロック４４を上昇させ、更に固定ブロック４２に昇降ブロック４１を上昇連動させる。
【００１５】
前記首振り機構７０と前記動力機構７１とは前記昇降ブロック４１の中に回転できるように設置された滑り軸受３５を含み、前記滑り軸受３５の中には扇風機チャンバ３６が設置され、前記扇風機チャンバ３６の中には傘歯車Ｄ３７が回転できるように設置され、前記傘歯車Ｄ３７と前記扇風機５７とが伝動できるように連結され、前記扇風機チャンバ３６の底壁の中には下に伸びているスプラインスリーブ３９が回転できるように設置され、前記スプラインスリーブ３９の頂端には傘歯車Ｅ３８が固定的に設置され、前記傘歯車Ｅ３８と前記傘歯車Ｄ３７とが噛み合って設置され、前記スプラインスリーブ３９の底端には前記中部溝６０の中に位置しているフェースギヤ２５が固定的に設置され、前記中部溝６０の左右両側にはいずれもベルトチャンバ２０が設置され、前記ベルトチャンバ２０が左右に対称のように設置され、右側の前記ベルトチャンバ２０と前記中部溝６０との間には従動軸５３が回転できるように設置され、前記従動軸５３の左側末端には扇形歯車５２が固定的に設置され、左右に対称的な前記扇形歯車５２はそれぞれ前記フェースギヤ２５と間欠的に噛み合って前記フェースギヤ２５に正反方向への回転を繰り返させることができ、前記従動軸５３のもう一端には従動プーリ５４が固定的に設置され、前記動力チャンバ１６の底壁の中にはモータ１３が固定的に嵌められ、前記モータ１３の頂端にはスプライン軸２４が伝動できるように連結され、前記スプライン軸２４と前記スプラインスリーブ３９とがスプラインによって連結され、前記スプライン軸２４の外周には動力歯車６１が固定的に設置され、前記動力チャンバ１６の左右両側端壁にはいずれも動力軸１８が回転できるように設置され、前記動力軸１８が左右に対称のように設置され、前記動力軸１８の左側末端には従動歯車１５が固定的に設置され、前記従動歯車１５と前記動力歯車６１とが噛み合って設置され、前記動力軸１８の外周には動力プーリ１７が固定的に設置され、前記動力プーリ１７と前記従動プーリ５４との間がベルト１９によって伝動できるように連結され、
フェースギヤ２５が扇形歯車５２と噛み合い、モータ１３を始動して動力歯車６１に動力軸１８を回転連動させ、更に動力プーリ１７に従動プーリ５４を回転連動させ、これにより扇形歯車５２にフェースギヤ２５を連動させて回転を繰り返す。
【００１６】
前記握り機構７４は前記スライド溝２１の中にスライドできるように装着されたスライドブロック２２を含み、前記スライドブロック２２が左右に対称のように設置され、右側の前記スライドブロック２２を例として詳しく説明すれば、前記スライドブロック２２の右端には前記スライドブロック２２を便利に押せる凸ブロック２３が固定的に設置され、前記スライドブロック２２の左側端面と前記スライド溝２１の左側端面との間には撥条４８が弾性的に連結され、前記昇降チャンバ４６の底部には左右に対称的なラックチャンバ５０が設置され、右側の前記ラックチャンバ５０を例として詳しく説明すれば、前記ラックチャンバ５０の中には回転輪５１が回転できるように設置され、前記螺旋軸４５の底端には前記回転輪５１と噛み合った傘歯車Ｆ４７が固定的に設置され、前記ラックチャンバ５０の底壁の中にはラック４９がスライドできるように設置され、前記ラック４９の右端と前記スライドブロック２２の左端とが固定的に連結され、前記ラック４９と前記回転輪５１とが噛み合って設置され、凸ブロック２３を握って押し、ラック４９に回転輪５１を回転連動させ、更に螺旋軸４５を回転させる。
【００１７】
使用する時、本体１０を手で持ち、凸ブロック２３を握って押し、ラック４９に回転輪５１を回転連動させ、更に螺旋軸４５を回転させてネジ山ブロック４４を上に移動させて昇降ブロック４１を上に移動連動させ、フェースギヤ２５を扇形歯車５２とかみ合わせ、同時に螺旋軸４５が傘歯車Ｃ３３を回転連動させ、更に傘歯車Ｂ３２を回転連動させて横軸３１を回転させ、横軸３１が伝動歯車２７を回転連動させ、半円歯車２８を回転させて更に円弧状止め板２９を開き、この時、モータ１３を始動し、スプライン軸２４を回転させて更に動力歯車６１を回転させ、動力歯車６１が従動歯車１５を回転連動させて動力軸１８を回転させ、更に動力プーリ１７に従動プーリ５４を回転連動させ、更に従動軸５３に扇形歯車５２を回転連動させ、扇形歯車５２がフェースギヤ２５を連動させて正反方向に間欠的に回転させ、同時にスプライン軸２４がスプラインスリーブ３９を回転連動させ、更に傘歯車Ｅ３８に傘歯車Ｄ３７を回転連動させ、扇風機５７に送風させる。
【００１８】
本発明の有益効果は：本発明は構造が簡単で、操作が便利で、円弧状止め板の開閉及び昇降ブロックの昇降によって扇風機を保護し、扇風機の保存を実現し、しかもフェースギヤと扇形歯車との噛み合いによって扇風機の左右揺動を実現して送風範囲を広げる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020180611.tif 000003
【図２】
2020180611.tif 000004
【図３】
2020180611.tif 000005
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
本体を含み、前記本体の頂部端面には左右に対称的な二組の頂部溝が設置され、前記頂部溝の中には止め板機構が設置され、左右対称の前記頂部溝の間には二組の伝動チャンバが対称的に設置され、前記伝動チャンバの底部には昇降チャンバが設置され、前記昇降チャンバの中には昇降機構が設置され、前記昇降機構によって前記止め板機構を開けて扇風機を上昇させ、前記本体の左右両側端面にはいずれもスライド溝が設置され、前記スライド溝が左右に対称のように設置され、前記スライド溝の中にはいずれも握り機構が設置され、前記握り機構が前記止め板機構に動力を提供し、前記スライド溝の間には中部溝が設置され、前記中部溝の中には首振り機構が設置され、前記首振り機構が前記扇風機を左右に振ることができ、前記中部溝の底壁には動力チャンバが設置され、前記動力チャンバの中には動力機構が設置され、前記動力機構は前記首振り機構と前記扇風機との回転に動力を提供し、前記本体の底部端面の中には蓄電池が固定的に嵌められ、前記本体が台座に保存されており、
前記止め板機構と前記昇降機構とは前記頂部溝の中に回転できるように設置された伝動歯車を含み、前記伝動歯車が左右に対称のように設置され、右側の前記伝動歯車を例として詳しく説明すれば、前記伝動チャンバと前記頂部溝との間には横軸が回転できるように設置され、前記横軸の右側端には前記伝動歯車と噛み合った傘歯車Ａが固定的に設置され、前記横軸の左側端には傘歯車Ｂが固定的に設置され、前記頂部溝の前後端壁の間には半円歯車が回転できるように設置され、前記半円歯車と前記伝動歯車とが噛み合っており、前記半円歯車の頂部端面には円弧状止め板が固定的に設置され、左右に対称的な前記円弧状止め板は閉じて前記扇風機を埃から守ることができ、前記昇降チャンバの中には上下に伸びている螺旋軸が回転できるように設置され、前記螺旋軸が左右に対称的に設置され、右側の前記螺旋軸を例として詳しく説明すれば、前記螺旋軸の頂端には傘歯車Ｃが固定的に設置され、前記傘歯車Ｃが前記傘歯車Ｂと噛み合って設置され、前記螺旋軸の外壁にはネジ山ブロックがネジ山により装着され、前記昇降チャンバの中には昇降ブロックがスライドできるように設置され、前記昇降ブロックが前記昇降チャンバを貫通しており、前記昇降ブロックの外壁には固定ブロックが固定的に設置されており、前記固定ブロックが左右に対称のように設置され、前記固定ブロックと前記ネジ山ブロックとの間が連結棒によってヒンジで連結され、
螺旋軸が回転して傘歯車Ｃを回転連動させて横軸を回転させ、更に傘歯車Ｄに円弧状止め板を連動させて開き、螺旋軸が回転してネジ山ブロックを上昇させ、更に固定ブロックに昇降ブロックを上昇連動させ、
前記首振り機構と前記動力機構とは前記昇降ブロックの中に回転できるように設置された滑り軸受を含み、前記滑り軸受の中には扇風機チャンバが設置され、前記扇風機チャンバの中には傘歯車Ｄが回転できるように設置され、前記傘歯車Ｄと前記扇風機とが伝動できるように連結され、前記扇風機チャンバの底壁の中には下に伸びているスプラインスリーブが回転できるように設置され、前記スプラインスリーブの頂端には傘歯車Ｅが固定的に設置され、前記傘歯車Ｅと前記傘歯車Ｄとが噛み合って設置され、前記スプラインスリーブの底端には前記中部溝の中に位置しているフェースギヤが固定的に設置され、前記中部溝の左右両側にはいずれもベルトチャンバが設置され、前記ベルトチャンバが左右に対称のように設置され、右側の前記ベルトチャンバと前記中部溝との間には従動軸が回転できるように設置され、前記従動軸の左側末端には扇形歯車が固定的に設置され、左右に対称的な前記扇形歯車はそれぞれ前記フェースギヤと間欠的に噛み合って前記フェースギヤに正反方向への回転を繰り返させることができ、前記従動軸のもう一端には従動プーリが固定的に設置され、前記動力チャンバの底壁の中にはモータが固定的に嵌められ、前記モータの頂端にはスプライン軸が伝動できるように連結され、前記スプライン軸と前記スプラインスリーブとがスプラインによって連結され、前記スプライン軸の外周には動力歯車が固定的に設置され、前記動力チャンバの左右両側端壁にはいずれも動力軸が回転できるように設置され、前記動力軸が左右に対称のように設置され、前記動力軸の左側末端には従動歯車が固定的に設置され、前記従動歯車と前記動力歯車とが噛み合って設置され、前記動力軸の外周には動力プーリが固定的に設置され、前記動力プーリと前記従動プーリとの間がベルトによって伝動できるように連結され、
フェースギヤが扇形歯車と噛み合い、モータを始動して動力歯車に動力軸を回転連動させ、更に動力プーリに従動プーリを回転連動させ、これにより扇形歯車にフェースギヤを連動させて回転を繰り返し、
前記握り機構は前記スライド溝の中にスライドできるように装着されたスライドブロックを含み、前記スライドブロックが左右に対称のように設置され、右側の前記スライドブロックを例として詳しく説明すれば、前記スライドブロックの右端には前記スライドブロックを便利に押せる凸ブロックが固定的に設置され、前記スライドブロックの左側端面と前記スライド溝の左側端面との間には撥条が弾性的に連結され、前記昇降チャンバの底部には左右に対称的なラックチャンバが設置され、右側の前記ラックチャンバを例として詳しく説明すれば、前記ラックチャンバの中には回転輪が回転できるように設置され、前記螺旋軸の底端には前記回転輪と噛み合った傘歯車Ｆが固定的に設置され、前記ラックチャンバの底壁の中にはラックがスライドできるように設置され、前記ラックの右端と前記スライドブロックの左端とが固定的に連結され、前記ラックと前記回転輪とが噛み合って設置され、
凸ブロックを握って押し、ラックに回転輪を回転連動させ、更に螺旋軸を回転させることを特徴とする保存に便利な手持ち扇風機。
【手続補正２】
【補正対象書類名】明細書
【補正対象項目名】全文
【補正方法】変更
【補正の内容】
【発明の詳細な説明】
【技術分野】
【０００１】
本発明は扇風機技術分野に関し、具体的には保存に便利な手持ち扇風機である。
【背景技術】
【０００２】
ひどく熱い夏の日に、出かけるには半端ない勇気が必要であるといっても過言ではなく、そのため、手持ち扇風機はすでに外出の必要品とされており、伝統的な手持ち扇風機は機能が単一で、送風しかできなく、しかも送風可能な範囲が小さく、そのため、手持ちや保存に便利な扇風機を設計する必要がある。
【先行技術文献】
【特許文献】
【０００３】
【特許文献１】中国特許出願公開第１０３８５０９５２号明細書
【発明の概要】
【発明が解決しようとする課題】
【０００４】
本発明の目的は保存に便利な手持ち扇風機を提供し、それは上記の現在の技術中の問題を解決できる。
【課題を解決するための手段】
【０００５】
本発明の保存に便利な手持ち扇風機は、本体を含み、前記本体の頂部端面には左右に対称的な二組の頂部溝が設置され、前記頂部溝の中には止め板機構が設置され、左右対称の前記頂部溝の間には二組の伝動チャンバが対称的に設置され、前記伝動チャンバの底部には昇降チャンバが設置され、前記昇降チャンバの中には昇降機構が設置され、前記昇降機構によって前記止め板機構を開けて扇風機を上昇させ、前記本体の左右両側端面にはいずれもスライド溝が設置され、前記スライド溝が左右に対称のように設置され、前記スライド溝の中にはいずれも握り機構が設置され、前記握り機構が前記止め板機構に動力を提供し、前記スライド溝の間には中部溝が設置され、前記中部溝の中には首振り機構が設置され、前記首振り機構が前記扇風機を左右に振ることができ、前記中部溝の底壁には動力チャンバが設置され、前記動力チャンバの中には動力機構が設置され、前記動力機構は前記首振り機構と前記扇風機との回転に動力を提供し、前記本体の底部端面の中には蓄電池が固定的に嵌められ、前記本体が台座に保存されている。
【０００６】
さらなる技術プランとして、前記止め板機構と前記昇降機構とは前記頂部溝の中に回転できるように設置された伝動歯車を含み、前記伝動歯車が左右に対称のように設置され、右側の前記伝動歯車を例として詳しく説明すれば、前記伝動チャンバと前記頂部溝との間には横軸が回転できるように設置され、前記横軸の右側端には前記伝動歯車と噛み合った傘歯車Ａが固定的に設置され、前記横軸の左側端には傘歯車Ｂが固定的に設置され、前記頂部溝の前後端壁の間には半円歯車が回転できるように設置され、前記半円歯車と前記伝動歯車とが噛み合っており、前記半円歯車の頂部端面には円弧状止め板が固定的に設置され、左右に対称的な前記円弧状止め板は閉じて前記扇風機を埃から守ることができ、前記昇降チャンバの中には上下に伸びている螺旋軸が回転できるように設置され、前記螺旋軸が左右に対称的に設置され、右側の前記螺旋軸を例として詳しく説明すれば、前記螺旋軸の頂端には傘歯車Ｃが固定的に設置され、前記傘歯車Ｃが前記傘歯車Ｂと噛み合って設置され、前記螺旋軸の外壁にはネジ山ブロックがネジ山により装着され、前記昇降チャンバの中には昇降ブロックがスライドできるように設置され、前記昇降ブロックが前記昇降チャンバを貫通しており、前記昇降ブロックの外壁には固定ブロックが固定的に設置されており、前記固定ブロックが左右に対称のように設置され、前記固定ブロックと前記ネジ山ブロックとの間が連結棒によってヒンジで連結され、
螺旋軸が回転して傘歯車Ｃを回転連動させて横軸を回転させ、更に傘歯車Ｄに円弧状止め板を連動させて開き、螺旋軸が回転してネジ山ブロックを上昇させ、更に固定ブロックに昇降ブロックを上昇連動させる。
【０００７】
さらなる技術プランとして、前記首振り機構と前記動力機構とは前記昇降ブロックの中に回転できるように設置された滑り軸受を含み、前記滑り軸受の中には扇風機チャンバが設置され、前記扇風機チャンバの中には傘歯車Ｄが回転できるように設置され、前記傘歯車Ｄと前記扇風機とが伝動できるように連結され、前記扇風機チャンバの底壁の中には下に伸びているスプラインスリーブが回転できるように設置され、前記スプラインスリーブの頂端には傘歯車Ｅが固定的に設置され、前記傘歯車Ｅと前記傘歯車Ｄとが噛み合って設置され、前記スプラインスリーブの底端には前記中部溝の中に位置しているフェースギヤが固定的に設置され、前記中部溝の左右両側にはいずれもベルトチャンバが設置され、前記ベルトチャンバが左右に対称のように設置され、右側の前記ベルトチャンバと前記中部溝との間には従動軸が回転できるように設置され、前記従動軸の左側末端には扇形歯車が固定的に設置され、左右に対称的な前記扇形歯車はそれぞれ前記フェースギヤと間欠的に噛み合って前記フェースギヤに正反方向への回転を繰り返させることができ、前記従動軸のもう一端には従動プーリが固定的に設置され、前記動力チャンバの底壁の中にはモータが固定的に嵌められ、前記モータの頂端にはスプライン軸が伝動できるように連結され、前記スプライン軸と前記スプラインスリーブとがスプラインによって連結され、前記スプライン軸の外周には動力歯車が固定的に設置され、前記動力チャンバの左右両側端壁にはいずれも動力軸が回転できるように設置され、前記動力軸が左右に対称のように設置され、前記動力軸の左側末端には従動歯車が固定的に設置され、前記従動歯車と前記動力歯車とが噛み合って設置され、前記動力軸の外周には動力プーリが固定的に設置され、前記動力プーリと前記従動プーリとの間がベルトによって伝動できるように連結され、
フェースギヤが扇形歯車と噛み合い、モータを始動して動力歯車に動力軸を回転連動させ、更に動力プーリに従動プーリを回転連動させ、これにより扇形歯車にフェースギヤを連動させて回転を繰り返す。
【０００８】
さらなる技術プランとして、前記握り機構は前記スライド溝の中にスライドできるように装着されたスライドブロックを含み、前記スライドブロックが左右に対称のように設置され、右側の前記スライドブロックを例として詳しく説明すれば、前記スライドブロックの右端には前記スライドブロックを便利に押せる凸ブロックが固定的に設置され、前記スライドブロックの左側端面と前記スライド溝の左側端面との間には撥条が弾性的に連結され、前記昇降チャンバの底部には左右に対称的なラックチャンバが設置され、右側の前記ラックチャンバを例として詳しく説明すれば、前記ラックチャンバの中には回転輪が回転できるように設置され、前記螺旋軸の底端には前記回転輪と噛み合った傘歯車Ｆが固定的に設置され、前記ラックチャンバの底壁の中にはラックがスライドできるように設置され、前記ラックの右端と前記スライドブロックの左端とが固定的に連結され、前記ラックと前記回転輪とが噛み合って設置され、
凸ブロックを握って押し、ラックに回転輪を回転連動させ、更に螺旋軸を回転させる。
【０００９】
使用する時、本体を手で持ち、凸ブロックを握って押し、ラックに回転輪を回転連動させ、更に螺旋軸を回転させてネジ山ブロックを上に移動させて昇降ブロックを上に移動連動させ、フェースギヤを扇形歯車とかみ合わせ、同時に螺旋軸が傘歯車Ｃを回転連動させ、更に傘歯車Ｂを回転連動させて横軸を回転させ、横軸が伝動歯車を回転連動させ、半円歯車を回転させて更に円弧状止め板を開き、この時、モータを始動し、スプライン軸を回転させて更に動力歯車を回転させ、動力歯車が従動歯車を回転連動させて動力軸を回転させ、更に動力プーリに従動プーリを回転連動させ、更に従動軸に扇形歯車を回転連動させ、扇形歯車がフェースギヤを連動させて正反方向に間欠的に回転させ、同時にスプライン軸がスプラインスリーブを回転連動させ、更に傘歯車Ｅに傘歯車Ｄを回転連動させ、扇風機に送風させる。
【発明の効果】
【００１０】
本発明の有益効果は：本発明は構造が簡単で、操作が便利で、円弧状止め板の開閉及び昇降ブロックの昇降によって扇風機を保護し、扇風機の保存を実現し、しかもフェースギヤと扇形歯車との噛み合いによって扇風機の左右揺動を実現して送風範囲を広げる。
【図面の簡単な説明】
【００１１】
【図１】図１は本発明の保存に便利な手持ち扇風機の内部全体構成略図
【図２】図２は図１のＡの局部拡大略図
【図３】図３は本発明の扇風機の後側略図
【発明を実施するための形態】
【００１２】
以下に図１〜３を交えて本発明について詳しく説明し、便利に叙述するため、後文に出る方位を下記の通りに規定する：後文に出る上下左右前後方向は図１本体の投影関係の上下左右前後方向と一致する。
【００１３】
図１〜３を参照し、本発明の実施例における保存に便利な手持ち扇風機は：本体１０を含み、前記本体１０の頂部端面には左右に対称的な二組の頂部溝２６が設置され、前記頂部溝２６の中には止め板機構７２が設置され、左右対称の前記頂部溝２６の間には二組の伝動チャンバ３４が対称的に設置され、前記伝動チャンバ３４の底部には昇降チャンバ４６が設置され、前記昇降チャンバ４６の中には昇降機構７３が設置され、前記昇降機構７３によって前記止め板機構７２を開けて扇風機５７を上昇させ、前記本体１０の左右両側端面にはいずれもスライド溝２１が設置され、前記スライド溝２１が左右に対称のように設置され、前記スライド溝２１の中にはいずれも握り機構７４が設置され、前記握り機構７４が前記止め板機構７２に動力を提供し、前記スライド溝２１の間には中部溝６０が設置され、前記中部溝６０の中には首振り機構７０が設置され、前記首振り機構７０が前記扇風機５７を左右に振ることができ、前記中部溝６０の底壁には動力チャンバ１６が設置され、前記動力チャンバ１６の中には動力機構７１が設置され、前記動力機構７１は前記首振り機構７０と前記扇風機５７との回転に動力を提供し、前記本体１０の底部端面の中には蓄電池１２が固定的に嵌められ、前記本体１０が台座１１に保存されている。
【００１４】
前記止め板機構７２と前記昇降機構７３とは前記頂部溝２６の中に回転できるように設置された伝動歯車２７を含み、前記伝動歯車２７が左右に対称のように設置され、右側の前記伝動歯車２７を例として詳しく説明すれば、前記伝動チャンバ３４と前記頂部溝２６との間には横軸３１が回転できるように設置され、前記横軸３１の右側端には前記伝動歯車２７と噛み合った傘歯車Ａ３０が固定的に設置され、前記横軸３１の左側端には傘歯車Ｂ３２が固定的に設置され、前記頂部溝２６の前後端壁の間には半円歯車２８が回転できるように設置され、前記半円歯車２８と前記伝動歯車２７とが噛み合っており、前記半円歯車２８の頂部端面には円弧状止め板２９が固定的に設置され、左右に対称的な前記円弧状止め板２９は閉じて前記扇風機５７を埃から守ることができ、前記昇降チャンバ４６の中には上下に伸びている螺旋軸４５が回転できるように設置され、前記螺旋軸４５が左右に対称的に設置され、右側の前記螺旋軸４５を例として詳しく説明すれば、前記螺旋軸４５の頂端には傘歯車Ｃ３３が固定的に設置され、前記傘歯車Ｃ３３が前記傘歯車Ｂ３２と噛み合って設置され、前記螺旋軸４５の外壁にはネジ山ブロック４４がネジ山により装着され、前記昇降チャンバ４６の中には昇降ブロック４１がスライドできるように設置され、前記昇降ブロック４１が前記昇降チャンバ４６を貫通しており、前記昇降ブロック４１の外壁には固定ブロック４２が固定的に設置されており、前記固定ブロック４２が左右に対称のように設置され、前記固定ブロック４２と前記ネジ山ブロック４４との間が連結棒４３によってヒンジで連結され、
螺旋軸４５が回転して傘歯車Ｃ３３を回転連動させて横軸３１を回転させ、更に傘歯車Ｄ３７に円弧状止め板２９を連動させて開き、螺旋軸４５が回転してネジ山ブロック４４を上昇させ、更に固定ブロック４２に昇降ブロック４１を上昇連動させる。
【００１５】
前記首振り機構７０と前記動力機構７１とは前記昇降ブロック４１の中に回転できるように設置された滑り軸受３５を含み、前記滑り軸受３５の中には扇風機チャンバ３６が設置され、前記扇風機チャンバ３６の中には傘歯車Ｄ３７が回転できるように設置され、前記傘歯車Ｄ３７と前記扇風機５７とが伝動できるように連結され、前記扇風機チャンバ３６の底壁の中には下に伸びているスプラインスリーブ３９が回転できるように設置され、前記スプラインスリーブ３９の頂端には傘歯車Ｅ３８が固定的に設置され、前記傘歯車Ｅ３８と前記傘歯車Ｄ３７とが噛み合って設置され、前記スプラインスリーブ３９の底端には前記中部溝６０の中に位置しているフェースギヤ２５が固定的に設置され、前記中部溝６０の左右両側にはいずれもベルトチャンバ２０が設置され、前記ベルトチャンバ２０が左右に対称のように設置され、右側の前記ベルトチャンバ２０と前記中部溝６０との間には従動軸５３が回転できるように設置され、前記従動軸５３の左側末端には扇形歯車５２が固定的に設置され、左右に対称的な前記扇形歯車５２はそれぞれ前記フェースギヤ２５と間欠的に噛み合って前記フェースギヤ２５に正反方向への回転を繰り返させることができ、前記従動軸５３のもう一端には従動プーリ５４が固定的に設置され、前記動力チャンバ１６の底壁の中にはモータ１３が固定的に嵌められ、前記モータ１３の頂端にはスプライン軸２４が伝動できるように連結され、前記スプライン軸２４と前記スプラインスリーブ３９とがスプラインによって連結され、前記スプライン軸２４の外周には動力歯車６１が固定的に設置され、前記動力チャンバ１６の左右両側端壁にはいずれも動力軸１８が回転できるように設置され、前記動力軸１８が左右に対称のように設置され、前記動力軸１８の左側末端には従動歯車１５が固定的に設置され、前記従動歯車１５と前記動力歯車６１とが噛み合って設置され、前記動力軸１８の外周には動力プーリ１７が固定的に設置され、前記動力プーリ１７と前記従動プーリ５４との間がベルト１９によって伝動できるように連結され、
フェースギヤ２５が扇形歯車５２と噛み合い、モータ１３を始動して動力歯車６１に動力軸１８を回転連動させ、更に動力プーリ１７に従動プーリ５４を回転連動させ、これにより扇形歯車５２にフェースギヤ２５を連動させて回転を繰り返す。
【００１６】
前記握り機構７４は前記スライド溝２１の中にスライドできるように装着されたスライドブロック２２を含み、前記スライドブロック２２が左右に対称のように設置され、右側の前記スライドブロック２２を例として詳しく説明すれば、前記スライドブロック２２の右端には前記スライドブロック２２を便利に押せる凸ブロック２３が固定的に設置され、前記スライドブロック２２の左側端面と前記スライド溝２１の左側端面との間には撥条４８が弾性的に連結され、前記昇降チャンバ４６の底部には左右に対称的なラックチャンバ５０が設置され、右側の前記ラックチャンバ５０を例として詳しく説明すれば、前記ラックチャンバ５０の中には回転輪５１が回転できるように設置され、前記螺旋軸４５の底端には前記回転輪５１と噛み合った傘歯車Ｆ４７が固定的に設置され、前記ラックチャンバ５０の底壁の中にはラック４９がスライドできるように設置され、前記ラック４９の右端と前記スライドブロック２２の左端とが固定的に連結され、前記ラック４９と前記回転輪５１とが噛み合って設置され、凸ブロック２３を握って押し、ラック４９に回転輪５１を回転連動させ、更に螺旋軸４５を回転させる。
【００１７】
使用する時、本体１０を手で持ち、凸ブロック２３を握って押し、ラック４９に回転輪５１を回転連動させ、更に螺旋軸４５を回転させてネジ山ブロック４４を上に移動させて昇降ブロック４１を上に移動連動させ、フェースギヤ２５を扇形歯車５２とかみ合わせ、同時に螺旋軸４５が傘歯車Ｃ３３を回転連動させ、更に傘歯車Ｂ３２を回転連動させて横軸３１を回転させ、横軸３１が伝動歯車２７を回転連動させ、半円歯車２８を回転させて更に円弧状止め板２９を開き、この時、モータ１３を始動し、スプライン軸２４を回転させて更に動力歯車６１を回転させ、動力歯車６１が従動歯車１５を回転連動させて動力軸１８を回転させ、更に動力プーリ１７に従動プーリ５４を回転連動させ、更に従動軸５３に扇形歯車５２を回転連動させ、扇形歯車５２がフェースギヤ２５を連動させて正反方向に間欠的に回転させ、同時にスプライン軸２４がスプラインスリーブ３９を回転連動させ、更に傘歯車Ｅ３８に傘歯車Ｄ３７を回転連動させ、扇風機５７に送風させる。
【００１８】
本発明の有益効果は：本発明は構造が簡単で、操作が便利で、円弧状止め板の開閉及び昇降ブロックの昇降によって扇風機を保護し、扇風機の保存を実現し、しかもフェースギヤと扇形歯車との噛み合いによって扇風機の左右揺動を実現して送風範囲を広げる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。